(57)【要約】【課題】建物の外壁に設けた換気口に取り付ける際に、換気口の径や水勾配の有無に関わらず確実に防水性能を確保する。【解決手段】換気器具Ａは、円盤部１ａを有し中央の貫通穴１ｃにガラリ１ｄを設けた第１部材１と、円筒形の胴部２ａと、該胴部２ａの一方の開放端に設けられ第１部材１の円盤部１ａの径よりも小さく且つ貫通穴の径よりも大きい径と所定の厚さを持った鍔部２ｂと、胴部２ａの他方の開放端側又は該胴部の内部に設けられて水返し部２ｃと、を有する第２部材２とからなり、第２部材２の鍔部２ｂの端面に第１部材１をガラリ１ｄと第２部材２の一方の開放端が連通するように配置して一体化させる。【選択図】    図１
2007218549.tif 000002
【特許請求の範囲】
【請求項１】
外壁に穿たれた円形の換気口に装着され雨水の浸入を防止しつつ換気を行う換気器具であって、
円盤形状で中央の貫通穴にガラリを設けた第１の止水部材と、
前記第１の止水部材の貫通穴の径に対応した外径を有する円筒形の胴部と、該胴部の一方の開放端に設けられ前記第１の止水部材の円盤の径よりも小さく且つ貫通穴及び換気口の径よりも大きい径と所定の厚さを持った鍔部と、該胴部の他方の開放端側又は該胴部の内部に設けられた水返し部と、を有する第２の止水部材と、からなり
前記第２の止水部材の鍔部の端面に前記第１の止水部材を前記第１の止水部材に設けたガラリと前記第２の止水部材の一方の開放端が連通するように配置して一体化させたことを特徴とする換気器具。
【請求項２】
前記第２の止水部材の胴部の外周に弾性と断熱性を有し且つ自由状態で前記外壁に穿たれた換気口の径よりも大きい外径を有する保持部材を取り付けたことを特徴とする請求項１に記載した換気器具。
【請求項３】
前記第２の止水部材の胴部の他方の開放端側に絞り部が形成されており、該胴部の一方の開放端側の径よりも前記絞り部の径が小さく構成されていることを特徴とする請求項１又は２に記載した換気器具。
【発明の詳細な説明】
【技術分野】
【０００１】
本発明は、外壁に穿たれた換気口に装着され、外壁に沿って屋内側に形成された通気層と外気とを結んで換気する換気器具に関するものである。
【背景技術】
【０００２】
建物では、室内の換気或いは外壁と内壁との間に於ける壁体内の換気を行うことを目的として、外壁に換気口を穿つことが行われている。この換気口では、雨水の室内或いは壁体内への浸入を防止するために、ガラリを設けたベンドキャップ、ウェザーカバー等と呼ばれる器具を装着するのが一般的である。しかし、ガラリのみでは防水性能が不充分であり、暴風雨の際に雨水が室内或いは壁体内に浸入する虞がある。
【０００３】
上記問題を解決するために特許文献１に記載された換気器具が提案されている。この換気器具は、外壁に開けられた換気孔に挿入固定されるものであり、外端がガラリの内側に開口し、内端が閉鎖された筒状に形成され、上側に通気窓孔を有し、この通気窓孔と開口との間に水返し板を有して構成されるものである。この換気器具を換気孔に取り付けた後、開口側を覆ってガラリ板が装着されている。この換気器具では、風雨が斜め下から吹き上げれくるような場合でも、雨水を水返し板によってはねかえし、風のみを屋内に取り込むことが可能である。
【０００４】
上記換気器具では、該換気器具を換気孔に挿入固定する場合、換気孔の内周面と筒状の部分の外周面との間にモルタルを充填したり、筒状の部分の外周面に設けた板バネを換気孔の内周面に接触させてバネ力を作用させたり、接着剤を用いて接着するようにしている。
【０００５】
【特許文献１】特開２００１−０２１１８８号公報
【発明の開示】
【発明が解決しようとする課題】
【０００６】
特許文献１に記載された技術であっても全く問題がないわけではなく、解決すべき幾つかの課題を持っている。例えばこの技術では、換気器具と換気孔との間に於ける防水性能を発揮させるための特別な部材は存在せず、モルタルか接着剤が担うことになる。しかし、大きな隙間を持った換気孔の内周面と筒状の部分の外周面との間に隙間なくモルタル或いは接着剤を充填することは困難である。特に、両者の間に隙間なくモルタル或いは接着剤が充填されたか否かを確認するすべがないため、信頼性を確保し得ないという問題がある。
【０００７】
また換気器具の筒状の部分の外径が換気孔の内径に適合していないと固定が不充分となり易く、安定した固定を実現し得ない虞がある。このため、換気孔の内径に対応させて複数種の換気器具を用意する必要が生じる。特に、既存の建物の改修工事において既設の換気器具の交換を行うような場合には、他の部位への影響や手間を考えると既に穿たれている換気口の径を換気器具の径に対応させて変更することも憚られるので、改修業者は、既設の換気口の内径に対応する為に複数種の換気器具をストックしておかなければならない。
【０００８】
また既存の建物の改修工事を行う場合、この建物に形成された換気孔の中には、雨水の屋内への浸入を防ぐため建物外部方向に向って水勾配を取ってあるものもある。この場合、上記換気器具では対応が困難になる虞がある。
【０００９】
本発明の目的は、換気口の径や水勾配の有無に関わらず、簡単な作業で確実に防水性能を確保することができる換気器具を提供することにある。
【課題を解決するための手段】
【００１０】
上記課題を解決するために本発明に係る第１の換気器具は、外壁に穿たれた円形の換気口に装着され雨水の浸入を防止しつつ換気を行う換気器具であって、円盤形状で中央の貫通穴にガラリを設けた第１の止水部材と、前記第１の止水部材の貫通穴の径に対応した外径を有する円筒形の胴部と、該胴部の一方の開放端に設けられ前記第１の止水部材の円盤の径よりも小さく且つ貫通穴及び換気口の径よりも大きい径と所定の厚さを持った鍔部と、該胴部の他方の開放端側又は該胴部の内部に設けられた水返し部と、を有する第２の止水部材と、からなり、前記第２の止水部材の鍔部の端面に前記第１の止水部材を前記第１の止水部材に設けたガラリと前記第２の止水部材の一方の開放端が連通するように配置して一体化させたものである。
【００１１】
また本発明の第２の換気器具は、上記第１の換気器具に於いて、第２の止水部材の胴部の外周に弾性と断熱性を有し且つ自由状態で前記外壁に穿たれた換気口の径よりも大きい外径を有する保持部材を取り付けたものである。
【００１２】
また本発明の第３の換気器具は、上記第１又は第２の換気器具に於いて、第２の止水部材の胴部の他方の開放端側に絞り部が形成されており、該胴部の一方の開放端側の径よりも前記絞り部の径が小さく構成されているものである。
【発明の効果】
【００１３】
本発明ほ第１の換気器具では、第２の止水部材の胴部の一方の開放端に、第１の止水部材の円盤の径よりも小さく且つ換気口の径よりも大きい径を有し、更に所定の厚さを持った鍔部を設けたので、該鍔部の端面に第１止水部材を連通させて一体化させて換気器具を構成したとき、第１の止水部材の円盤に第２の止水部材の鍔部が連続して配置されることとなる。このため、第２の止水部材の胴部を外壁に設けた換気口に挿入して換気器具を装着して鍔部を外壁の外表面と当接させたとき、外壁の外表面と円盤との間に鍔部の厚さに対応した湿式シール材（以下単に「シール材」という）充填用の間隙が形成される。従って、前記間隙に充填されるシール材に水密性能上必要な幅と厚さが確保され換気器具と換気口との間の雨水の浸入の虞のある空隙を確実に遮断することができる。
【００１４】
特に、シール材を充填する間隙が外壁の外表面側になり充填部の一面が開放されるので、目視によりシール材の充填度合いを確認することや、目視や押圧により経年後のシール材の劣化（硬化）状況を確認することが可能で、且つシール材のほとんどが円盤で覆われると共に余剰のシール材を円盤の縁部を定規としてへら等で一様に拭い取ることもできるので換気器具周囲を美麗に仕上げることができる。
【００１５】
また本発明の第２の換気器具では、換気器具を構成する第２の止水部材の胴部の外周に、弾性と断熱性を持った保持部材を、自由状態で外径が外壁に設けた換気口の径よりも大きくなるように取り付けたので、換気器具を換気口に挿入する際には保持部材を圧縮することとなり、所定の位置まで挿入されたとき、保持部材の弾性が作用して換気器具の装着位置を維持することができる。
【００１６】
特に、建物に応じて換気口の径が異なるような場合であっても、保持部材の弾性で吸収可能な内径の範囲であれば、単一の換気器具で対応することができる、また、換気口が水勾配を有するような場合でも保持部材が水勾配に応じて変形することで鍔部全体が外壁の外表面に当接し密着状態を維持することができる。このため、改修工事の場合でも、改修業者は多くの種類の換気器具をストックしておく必要がない。
【００１７】
更に、保持部材が断熱性を有するため、換気器具の胴部の外径と換気口の径との差が大きな場合であっても、換気器具部分における熱の流入や流出を最小限に留めることができる。
【００１８】
また本発明の第３の換気器具では、第２の止水部材の胴部の他方の開放端側に絞り部を形成したので、外壁材の内部や建物内部に障害物（コンクリートパネルの補強鉄筋や既設の設備配管等）が存在する場合であっても互いに干渉することを避けることができる。従って、前記障害物が存在することで所望の位置（例えば、各階で水平方向に同じ位置、あるいは同一階で上下方向に同じ位置、外壁パネルの中央等、美観上ここにつけたいという位置など）からずらして換気器具を取り付けなければならない、ということの回避が容易になり、換気器具取り付けによる建物の外観意匠性の低下度合いを抑制することができる。
【発明を実施するための最良の形態】
【００１９】
以下、本発明に係る換気器具の最も好ましい実施形態について説明する。本発明の換気器具は、建物の外壁をに穿って形成された換気口に装着されて、室内或いは外壁に沿って形成された通気層と外気とを結んで換気をはかる機能を有するものである。そして、新築の建物或いは既存の建物に適用した場合でも、換気器具と換気口との間に於ける確実な防水を実現することが可能である。
【００２０】
本発明の換気器具では、新築の建物或いは既存の建物に適用した場合でも、換気口に対し確実な取付状態を維持することが可能であり、更に、既存の建物に形成された換気口が水勾配を有するような場合でも対応することが可能である。
【００２１】
本発明の換気器具は、第１の止水部材（第１部材）と第２の止水部材（第２部材）とを組み合わせて構成されている。第１部材は外壁の外表面に配置されるものであり、円盤状に形成され、中央に貫通穴が形成されている。また第２部材は、外壁に設けた換気口に配置されるものであり、円筒形の胴部と、この胴部の一方側の開放端に設けた鍔部と、他方の開放端或いは他方の開放側側に於ける内部に設けた水返し部と、を有して構成されている。そして、第２部材の鍔部を第１部材の円盤に対向させて一体化することで、換気器具が構成されている。
【００２２】
第１部材は円盤形状に形成され、中央に該第１部材を軸心に沿って貫通する貫通穴が形成されており、この貫通穴にガラリが設けられている。貫通穴に於けるガラリの形成位置は特に限定するものではなく、第１部材の軸心に沿った位置の何れであっても良い。しかし、第１部材が外壁の外表面に配置されることから、可及的に円盤の表面側に形成されることが好ましい。このように、貫通穴にガラリを設けることによって第１部材に対して上方から降りかかる雨水の内部への浸入を阻止することが可能である。
【００２３】
第２部材は円筒状の胴部を有しており、この胴部の一方側の開放端に鍔部が、他方側の開放端或いは開放端側の内部に水返し部が設けられている。特に、胴部は換気口の内部に挿入されるため換気口の内径よりも小さい外径を有している。しかし、胴部の長さは特に限定するものではなく、外壁の厚さに対応させて適宜設定することが好ましい。
【００２４】
また第２部材の鍔部は、外壁の外表面と当接して第２部材の換気口に対する位置を決定する機能と、第１部材との組み合わせた状態で換気口に装着した際に外壁の外表面と共にシール材を充填するための凹部を構成する機能を有している。このため、鍔部の径は、第１部材の円盤の径よりも小さく、換気口の径よりも大きい寸法に設定される。特に、鍔部の径を所定のシーリングの充填厚が確保される範囲内において円盤の径に近い寸法とすることで、径の異なる複数の換気口に対応することが可能となる。
【００２５】
第２部材の胴部は円筒状に形成されている。胴部の外径は特に限定するものではないが、屋内の換気を実現し得る限り可及的に小さいことが好ましい。胴部の外径を小さくすることによって、異なる径を持った換気口に適用することが可能となる。
【００２６】
第２部材に設けた水返し部は、第１部材に形成されたガラリを通過して第２部材の内部に浸入してきた水が室内或いは通気層に浸入することを防止する機能を有するものである。水返し部は前記機能を発揮し得るものでれば良く、形状や構図を限定するものではない。このような機能を持った水返し部としては、幾つかの形状や構造があるが、例えば、胴部の他方側の開放端部の下方を塞ぐ板状の起立部材と、胴部の内部の上方を塞ぐ板状の垂下部材との組み合わせによって構成することができる。このように構成することで、強風時に斜め下方からガラリをかわして吹き込んでくる雨水が起立部材と垂下部材とによって進行を妨げられるので、換気機能は保持したまま雨水の建物内部への浸入を防ぐことができる。
【００２７】
第１部材、第２部材の材料や製造方法は特に限定するものではない。しかし、円盤部分の成形や胴部及び鍔部の成形等を考慮したとき、合成樹脂による射出成形によって製造することが好ましい。例えば、金属板をプレス成形する場合、プレス型のコストは射出成形型と比較して高価であり、この点からみても合成樹脂が有利である。
【００２８】
第１部材と第２部材を組み合わせて構成した換気器具は、胴部を外壁に形成した換気口に挿入した状態で取り付けられる。このため、換気器具の取付状態を保持する手段が必須となる。本発明では、弾性と断熱性を持った保持部材を胴部の外周に対し、自由状態で換気口の径よりも大きい径を持った取り付けることで、換気器具の換気口に対する取付状態を保持し得るように構成している。
【００２９】
保持部材の材質は特に限定されるものではなく、適度な弾性と断熱性を有するものであれば利用することが可能であるが、特殊発泡ポリウレタン（例えば日本発条株式会社「スーパーシート」）やＥＰＤＭ発泡体などのスポンジ状の合成樹脂が気密性や水密性も備えており好ましい。
【００３０】
外壁に形成した換気口に装着された換気器具は比較的軽量であり、前述した凹部に充填されるシール材によっても支持されるので特別に大きい力が作用することがなく、比較的小さい力で充分に取付状態を保持することが可能である。また保持部材は断熱性を有するため、換気器具を換気口に取り付けたとき、換気器具の胴部の外径と換気口の径との差が大きな場合であっても換気口部分における熱の流入や流出を最小限に留めることができる。
【００３１】
本発明に於いて、胴部の他方側の開放端部側に、胴部の径よりも小さい径を持った絞り部を設けることが好ましい。このように、絞り部を設けることによって、該絞り部を換気口の屋内側に設けた通気層に望ませて良好な換気を実現することが可能となる。絞り部の径は特に限定するものではなく、室内或いは通気層の換気を行えるものであれば良い。
【実施例１】
【００３２】
次に、換気器具の好ましい実施例について図を用いて説明する。図１は本実施例に係る換気器具の組立断面図である。図２は正面図である。図３は本実施例に係る換気器具の展開図である。図４は本実施例に係る換気器具を外壁に取り付けた状態を説明する図である。
【００３３】
図に示す換気器具Ａは、第１部材１と、第２部材２と、保持部材３と、を有しており、特に、第２部材２の内部に更に内部止水部材４が挿入され、暴風雨のような酷い吹き降りの場合であっても、雨水の屋内側への浸入を略完全に防止し得るように構成されている。
【００３４】
第１部材１は、正面に円盤部１ａが形成されており、裏面側には第２部材２に嵌合されるボス部１ｂが形成されている。円盤部１ａとボス部１ｂを貫通して貫通穴１ｃが形成されており、該貫通穴１ｃにガラリ１ｄが形成されている。貫通穴１ｃの下側の端部には、ガラリ１ｄを通って内部に入り込んだ水が流れでるための排水溝１ｅが形成されている。
【００３５】
また円盤部１ａの裏面には第２部材２の鍔部に形成したリング状の突起と嵌合するリング状の凹溝１ｆが形成されている。この凹溝１ｆはボス部１ｂと共に第２部材２の対応する部位と嵌合して組立状態を強固にする機能を有するものである。
【００３６】
上記の如く、ガラリ１ｄ、排水溝１ｅが形成された第１部材１では、天地方向が決定される。即ち、ガラリ１ｄの下向き方向（排水溝１ｅが形成されている側）が下方になる。このため、円盤部１ａの裏面には位置決め用の溝１ｇが形成されている。
【００３７】
第２部材２は、胴部２ａを有しており、該胴部２ａの一方側の開放端部に鍔部２ｂが設けられ、他方の端部側に起立片からなる水返し部２ｃが設けられている。また胴部２ａの内部には内部止水部材４を収容するための円筒状の収容部２ｄが形成されており、該収容部２ｄの底部には内部止水部材４と係合して互いの位置を設定する係合突起２ｅが形成されている。尚、収容部２ｄは、内部止水部材４を収容すると共に第１部材１に形成されたボス部１ｂを嵌合し得るように構成されている。
【００３８】
鍔部２ｂの寸法は前述したように、第１部材１の円盤部１ａの径よりも小さく換気口の径よりも大きい径と、所定の厚さ（防水用のシール材を充填するのに適した寸法に対応した厚さ）を有している。また鍔部２ｂの端面には第１部材１に形成した凹溝１ｆと嵌合するリング状の嵌合突起２ｆが形成されている。
【００３９】
第２部材２は、起立片からなる水返し部２ｃを設けることで天地方向が決定される。即ち、水返し部２ｃの基部が下方となる。このため、鍔部２ｂの端面であって水返し部２ｃの基部の延長部位に、第１部材１の位置決め用の溝１ｇと対向する位置に位置決め用の突起２ｇが形成されている。
【００４０】
保持部材３はＣ型に成形されたスポンジ状の部材からなり、内径が第２部材２の胴部２ａの外径と略等しいか或いは僅かに小さい寸法を有し、外径が取り付けるべき換気口の内径よりも充分に大きい寸法を有している。また保持部材３の幅寸法は特に限定するものではないが、換気口に挿入された状態での換気器具の位置を安定させ得る程度の寸法を有している。
【００４１】
内部止水部材４は第２部材の内部に収容され、暴風雨の際に上向きの風等によってガラリ１ｄのスリットから吹き込んでくる雨水の室内側への進行を阻止する機能を有するものである。このため、筒状体４ａの端部に、ガラリ１ｄの傾き方向下流側から反対側（内部止水部材４の上部から下部）に向けて形成された垂下片からなる水返し部４ｂを有して構成されている。また水返し部４ｂと対向する部位には、第２部材２に設けた係合突起２ｅと係合して位置決めするための係合溝４ｃが形成されている。
【００４２】
尚、図に於いて、５は第１部材１のボス部１ｂと内部止水部材４との間に配置された防虫網である。この防虫網５の配置位置は本実施例に限定されるものではなく、第２部材２の胴部２ａに於ける如何なる位置であっても良い。また６は第１部材１の円盤部１ａの表面を保護するマスキングフィルムであり、換気器具Ａを取り付けた後剥離される。
【００４３】
上記各部材１〜５によって換気器具Ａを組み立てる場合、先ず、第２部材２の収容部２ｄに内部止水部材４を収容する。このとき、第２部材の係合突起２ｅと内部止水部材４の係合溝４ｃとを互いに係合させることで、各部材２、４に設けた水返し部２ｃ、４ｂの基部が交互になるように配置される。
【００４４】
次に、第２部材２の収容部２ｄに収容されている内部止水部材４に防虫網５を被せる。更に、第２部材２の位置決め用の突起２ｇと第１部材１の位置決め用の溝１ｇとを係合させ、収容部２ｄに第１部材１のボス部１ｂを嵌合させると同時に鍔部２ｂの嵌合突起２ｆを凹溝１ｆに嵌合させる。このように、嵌合突起２ｆと凹溝１ｆを嵌合させて組み立てることで、ガラリ１ｄの方向と内部止水部材４の水返し部４ｂの方向を一致させることが可能である。
【００４５】
その後、第２部材２の胴部２ａの外周に保持部材３を巻き付け接着剤や粘着テープ等で接着することで、換気器具Ａが構成される。特に、第１部材１、第２部材２、内部止水部材４を互いに嵌合させて組み立てる際に、接触部位に接着剤を塗布しておくことで、強固な組立を実現することが可能である。
【００４６】
次に、上記の如く構成された換気器具Ａを換気口への装着手順を説明する。図３に示すように、外壁１１には換気口１２が形成されている。この換気口１２に換気器具Ａを取り付ける場合、予め円盤部１ａの内側面に鍔部２ｂの外周に沿ってシール材を塗布した上で、第２部材２の胴部２ａの外周に取り付けられている保持部材３の外径を圧縮し、この圧縮状態を保持して換気口１２に挿入する。そして鍔部２ｂが外壁１１の外表面に当接したとき、換気器具Ａの挿入を停止する。このとき、シール材１４は円盤部１ａと外壁１１の外表面との間に形成された間隙１３に充填される。そして、余剰シール材の一部は換気口内部に押し出され、残りの余剰シール材は円盤部１ａからはみ出る。円盤部１ａからはみ出した余剰シール材は、該円盤部１ａの外縁部を定規としてヘラ等で拭い取る。
【００４７】
上記状態で、換気器具Ａはその外表面側が間隙１３に充填されたシール材１４によって、その内側が弾性を有する保持部材３によって換気口１２の所定位置に安定して保持される。
【００４８】
なお、図３に二点鎖線で示したように換気口１２に水勾配が形成されている場合であっても、換気口Ａは保持部材３が換気口１２の水勾配に対応して変形し、且つシール材１４によって円盤部１ａが外壁１１の外表面と平衡に位置することで、換気口１２の所定位置に傾いたりすることなく安定して保持される。
【００４９】
上記の如く、換気器具Ａを構成する第１部材１の円盤部１ａの裏面と外壁１１の外表面との間には鍔部２ｂの厚さと等しい間隙１３が形成され、前記間隙１３にはシール材１４が充填されているので、外壁１１の外表面と鍔部２ｂとの間に形成される微小隙間を塞いで雨水の浸入を阻止することが可能である。
【００５０】
また換気器具Ａの胴部２ｂと換気口１２との間の空間に断熱性を持った保持部材３が配置されるため、屋内の空気と外気との余分な熱交換を排除することが可能となり、熱損失の少ない好ましい換気を実現することが可能となる。
【実施例２】
【００５１】
次に、換気器具の他の実施例について図を用いて説明する。図４は胴部に絞り部を設けた換気器具を説明する図である。図５は胴部に絞り部を設けると共に該絞り部を屈折させた換気器具を説明する図である。尚、図に於いて、前述の第１実施例と同一の部分及び同一の機能を有する部分には同一の符号を付して説明を省略する。
【００５２】
図４は、第２部材２の胴部２ａの他方側の開放端側に絞り部２ｈを設けたものである。絞り部２ｈの径は特に限定するものではなく、換気すべき空気量を満足し得るような寸法であれば良い。
【００５３】
この例では、胴部２ａの一方側（第１部材１側）の径よりも、絞り部２ｈの径を小さくすることが可能であり、例えば、外壁内部の障害物（軽量気泡コンクリートなどコンクリート製の外壁パネルの補強鉄筋など）や外壁の内側に存在する障害物（既存の設備配管など）をかわして換気器具を取り付けることが容易となる。従って、前記障害物が存在することで所望の位置（各階で水平方向に同じ位置、あるいは同一階で上下方向に同じ位置、外壁パネルの中央等、美観上ここにつけたいという位置）からずらして換気器具を取り付けなければならない、ということが回避しやすくなり、換気器具取り付けによる建物の外観意匠性の低下度合いを抑えることができる。
【００５４】
図５は絞り部２ｈが更に上方に向けて略直角に屈折した屈折部２ｉを有するものである。屈折部２ｉの端部（上方の端部）は、胴部２ａの外周面と略等しいか小さい寸法の位置に設定されており、換気口に挿入する際には第１実施例の換気器具Ａと同様に行うことが可能である。
【００５５】
この例では、外壁の厚さが小さい場合、屈折部２ｉを屋内の通気層に挿入して換気をはかることが可能となる。
【００５６】
上記各例では、胴部２ａに絞り部２ｈを設けるため、胴部２ｂと絞り部２ｈとの段差部分が水返しとしての機能を発揮することが可能となり、第１実施例に於ける内部止水部材４が不要となる。更に、図５の例では、屋内側の開放端が上方に向くため、この屈折部２ｉが第２部材２に設けた水返し部２ｃとしての機能を発揮することが可能である。
【００５７】
なお、保持部材３の取り付け位置は、胴部２ａであっても絞り部２ｈであってもよく、この場合、胴部２ａに接するように取り付けると換気口への挿入時に位置ずれが生じにくく好ましい。
【産業上の利用可能性】
【００５８】
本発明の換気器具Ａは、新築の建物のみならず、既存の建物の改修工事の際にも好適に利用することが可能である。
【図面の簡単な説明】
【００５９】
【図１】本実施例に係る換気器具の組立断面図である。
【図２】本実施例に係る換気器具の展開図である。
【図３】本実施例に係る換気器具を外壁に取り付けた状態を説明する図である。
【図４】胴部に絞り部を設けた換気器具を説明する図である。
【図５】胴部に絞り部を設けると共に該絞り部を屈折させた換気器具を説明する図である。
【符号の説明】
【００６０】
Ａ                        換気器具
１                        第１部材
１ａ                      円盤部
１ｂ                      ボス部
１ｃ                      貫通穴
１ｄ                      ガラリ
１ｅ                      排水溝
１ｆ                      凹溝
１ｇ                      溝
２                        第２部材
２ａ                      胴部
２ｂ                      鍔部
２ｃ                      水返し部
２ｄ                      収容部
２ｅ                      係合突起
２ｆ                      嵌合突起
２ｇ                      突起
２ｈ                      絞り部
２ｉ                      屈折部
３                        保持部材
４                        内部止水部材
４ａ                      筒状体
４ｂ                      水返し部
４ｃ                      係合溝
５                        防虫網
６                        マスキングフィルム
１１                      外壁
１２                      換気口
１３                      間隙
１４                      シール材
【図１】
2007218549.tif 000003
【図２】
2007218549.tif 000004
【図３】
2007218549.tif 000005
【図４】
2007218549.tif 000006
【図５】
2007218549.tif 000007